【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータのスライス内のすべての係数ブロックに対して色変換が有効にされるかどうかを示す第１のシンタックス要素を備えるシーケンスパラメータセットを復号することと、
コーディングユニットからの第２のシンタックス要素を復号すること、ここで、前記第２のシンタックス要素は、前記色変換が有効にされることを前記第１のシンタックス要素が示すとき、前記ビデオデータのスライスに関連付けられた前記係数ブロックのうちの１つに対して色変換が有効にされるかどうかを示す、と、
色ルーマ成分に関する初期量子化パラメータ（ＱＰ）を決定することと、
有効にされた色空間変換で符号化された前記ビデオデータの前記係数ブロックに関して、前記ルーマ成分に関する最終ＱＰが前記ルーマ成分の前記初期ＱＰと前記ルーマ成分に関する非ゼロＱＰオフセットの和に等しくなるように、前記ルーマ成分に関する前記最終ＱＰを設定することと、
前記ルーマ成分に関する前記最終ＱＰに基づいて、前記ブロックに関する前記係数ブロックを逆量子化すること、ここで、前記ブロックに関する前記係数ブロックは前記ルーマ成分のサンプル値に基づく、と、
残差ブロックを生成するために前記係数ブロックに逆変換を適用することと、
前記残差ブロックと予測ブロックを加算することによって復号ビデオブロックを形成することと
を備える方法。
【請求項２】
前記ルーマ成分に関する前記ＱＰオフセットは、ピクチャパラメータセット、シーケンスパラメータセット、およびスライスヘッダのうちの１つの中でシグナリングされる、請求項１に記載の方法。
【請求項３】
前記ルーマ成分は複数の色成分のうちの第１の色成分であり、前記量子化パラメータオフセットは第１の量子化パラメータオフセットであり、前記量子化パラメータは第１の量子化パラメータであり、前記第１の色成分に関する前記第１の量子化パラメータに関する前記第１の量子化パラメータオフセットは、第２の色成分に関する第２の量子化パラメータに関する第２の量子化パラメータオフセットに等しく、前記第１の量子化パラメータオフセットは、第３の色成分に関する第３の量子化パラメータに関する第３の量子化パラメータオフセットよりも小さい、請求項１に記載の方法。
【請求項４】
クロマ成分に関する初期ＱＰを決定することと、
前記クロマ成分に関する最終ＱＰが前記クロマ成分の前記初期ＱＰと前記クロマ成分に関する非ゼロＱＰオフセットとの和に等しくなるように前記クロマ成分に関する前記最終ＱＰを設定することと
をさらに備える、請求項１に記載の方法。
【請求項５】
前記ＣＵが第１のＣＵであり、前記方法は、
有効にされた前記色空間変換で符号化されていない第２のＣＵのルーマ成分に関する第２のＱＰを決定することと、
前記ルーマ成分に関する前記第２のＱＰに基づいて、前記第２のＣＵの係数ブロックを逆量子化すること、ここで、前記第２のＣＵの前記係数ブロックは前記ルーマ成分のサンプル値に基づく、と、
前記第２のＣＵの前記１つまたは複数の逆量子化された係数ブロックの各々に基づいて、前記第２のＣＵを再構築することと
をさらに備える、および／または、
前記ルーマ成分に関する前記ＱＰオフセットは前記ＣＵの符号化モードに依存し、好ましくは、前記方法は、
前記ルーマ成分に関する前記ＱＰオフセットが、前記ＣＵの前記符号化モードがイントラモードまたはイントラブロックコピー（ＢＣ）モードであるときは第１の値に等しく、前記ＣＵの前記符号化モードがインターモードであるときは第２の値に等しくなるように、前記ルーマ成分に関する前記ＱＰオフセットを決定すること、ここで、前記第１の値は前記第２の値とは異なる、
をさらに備える、請求項１に記載の方法。
【請求項６】
前記ルーマ成分に関する前記ＱＰオフセットが、前記ＣＵの前記符号化モードがイントラモードであるときは第１の値に等しく、前記ＣＵの前記符号化モードがイントラブロックコピー（ＢＣ）モードまたはインターモードであるときは第２の値に等しくなるように、前記成分に関する前記ＱＰオフセットを決定すること、ここで、前記第１の値は前記第２の値とは異なる、
をさらに備える、請求項５に記載の方法。
【請求項７】
前記ルーマ成分は複数の色成分のうちの第１の色成分であり、ここにおいて、前記複数の色成分は３つの色成分を備え、前記３つの色成分の各々はそれぞれのＱＰオフセットに関連付けられ、前記それぞれのＱＰオフセットは（−５＋６＊ＢｉｔＩｎｃ，−５＋６＊ＢｉｔＩｎｃ，−３＋６＊ＢｉｔＩｎｃ）に等しく、ＢｉｔＩｎｃは０、１、または２のうちの１つに等しい、および／または、
前記ルーマ成分に関する前記ＱＰオフセットは、前記ＣＵのスライスタイプ、Ｉスライスタイプ、Ｐスライスタイプ、またはＢスライスタイプかどうかに依存し、好ましくは、前記方法は、
前記ルーマ成分に関する前記ＱＰオフセットが、前記ＣＵの前記スライスタイプが前記Ｉスライスタイプであるときは第１の値に等しく、前記ＣＵの前記スライスタイプが前記Ｐスライスタイプまたは前記Ｂスライスタイプであるときは第２の値に等しいと決定すること、ここで、前記第１の値は前記第２の値とは異なる、
をさらに備える、請求項１に記載の方法。
【請求項８】
前記ルーマ成分に関する前記ＱＰオフセットが、前記ＣＵの前記スライスタイプが前記Ｉスライスタイプであるときは第１の値に等しく、前記ＣＵの前記スライスタイプが前記Ｐスライスタイプであるときは第２の値に等しく、前記ＣＵの前記スライスタイプが前記Ｂスライスタイプであるときは第３の値に等しいと決定すること、ここで、前記第１の値は前記第２の値とは異なり、前記第２の値は前記第３の値とは異なり、前記第１の値は前記第３の値とは異なる、
をさらに備える、請求項７に記載の方法。
【請求項９】
ビデオデータを復号するためのデバイスであって、
ビデオデータのスライス内のすべての係数ブロックに対して色変換が有効にされるかどうかを示す第１のシンタックス要素を備えるシーケンスパラメータセットを復号するための手段と、
コーディングユニットからの第２のシンタックス要素を復号するための手段、ここで、前記第２のシンタックス要素は、前記色変換が有効にされることを前記第１のシンタックス要素が示すとき、前記ビデオデータのスライスに関連付けられた前記係数ブロックのうちの１つに対して色変換が有効にされるかどうかを示す、と、
ルーマ成分に関する初期量子化パラメータ（ＱＰ）を決定するための手段と、
有効にされた色空間変換で符号化された前記ビデオデータの前記係数ブロックに関して、前記ルーマ成分に関する最終ＱＰが前記ルーマ成分の前記初期ＱＰと前記ルーマ成分に関する非ゼロＱＰオフセットの和に等しくなるように、前記ルーマ成分に関する前記最終ＱＰを設定するための手段と、
前記ルーマ成分に関する前記最終ＱＰに基づいて、前記ブロックに関する前記係数ブロックを逆量子化するための手段、ここで、前記ブロックに関する前記係数ブロックは前記ルーマ成分のサンプル値に基づく、と、
残差ブロックを生成するために前記係数ブロックに逆変換を適用するための手段と、
前記残差ブロックと予測ブロックを加算することによって復号ビデオブロックを形成するための手段と
を備えるデバイス。
【請求項１０】
前記ルーマ成分に関する前記ＱＰオフセットは、ピクチャパラメータセット、シーケンスパラメータセット、およびスライスヘッダのうちの１つの中でシグナリングされる、および／または、
前記ルーマ成分は複数の色成分のうちの第１の色成分であり、ここにおいて、前記複数の色成分は３つの色成分を備え、前記３つの色成分の各々はそれぞれのＱＰオフセットに関連付けられ、前記それぞれのＱＰオフセットは（−５＋６＊ＢｉｔＩｎｃ，−５＋６＊ＢｉｔＩｎｃ，−３＋６＊ＢｉｔＩｎｃ）に等しく、ＢｉｔＩｎｃは０、１、または２のうちの１つに等しい、請求項１に記載のデバイス。
【請求項１１】
ビデオデータを符号化する方法であって、
ビデオデータのスライス内のすべての係数ブロックに対して色変換が有効にされるかどうかを示す第１のシンタックス要素を備えるシーケンスパラメータセットを符号化するための手段と、
コーディングユニットからの第２のシンタックス要素を符号化するための手段、ここで、前記第２のシンタックス要素は、前記色変換が有効にされることを前記第１のシンタックス要素が示すとき、前記ビデオデータのスライスに関連付けられた前記係数ブロックのうちの１つに対して色変換が有効にされるかどうかを示す、と、
ルーマ成分に関する初期量子化パラメータ（ＱＰ）を決定することと、
有効にされた色空間変換で符号化された前記ビデオデータの前記係数ブロックに関して、前記ルーマ成分に関する最終ＱＰが前記ルーマ成分の前記初期ＱＰと前記ルーマ成分に関する非ゼロＱＰオフセットの和に等しくなるように、前記ルーマ成分に関する前記最終ＱＰを設定することと、
前記ルーマ成分に関する前記最終ＱＰに基づいて、前記ブロックに関する前記係数ブロックを量子化すること、ここで、前記ブロックに関する前記係数ブロックは前記ルーマ成分のサンプル値に基づく、と、
残差ブロックを生成するために前記係数ブロックに逆変換を適用することと、
前記残差ブロックと予測ブロックを加算することによって符号化ビデオブロックを形成することと
を備える方法。
【請求項１２】
ビデオデータを符号化するためのデバイスであって、
ビデオデータのスライス内のすべての係数ブロックに対して色変換が有効にされるかどうかを示す第１のシンタックス要素を備えるシーケンスパラメータセットを符号化するための手段と、
コーディングユニットからの第２のシンタックス要素を符号化するための手段、ここで、前記第２のシンタックス要素は、前記色変換が有効にされることを前記第１のシンタックス要素が示すとき、前記ビデオデータのスライスに関連付けられた前記係数ブロックのうちの１つに対して色変換が有効にされるかどうかを示す、と、
ルーマ成分に関する初期量子化パラメータ（ＱＰ）を決定するための手段と、
有効にされた色空間変換で符号化された前記ビデオデータの前記係数ブロックに関して、前記ルーマ成分に関する最終ＱＰが前記ルーマ成分の前記初期ＱＰと前記ルーマ成分に関する非ゼロＱＰオフセットの和に等しくなるように、前記ルーマ成分に関する前記最終ＱＰを設定するための手段と、
前記ルーマ成分に関する前記最終ＱＰに基づいて、前記ブロックに関する前記係数ブロックを量子化するための手段、ここで、前記ブロックに関する前記係数ブロックは前記ルーマ成分のサンプル値に基づく、と、
残差ブロックを生成するために前記係数ブロックに逆変換を適用するための手段と、
前記残差ブロックと予測ブロックを加算することによって符号化ビデオブロックを形成するための手段と
を備えるデバイス。
【請求項１３】
命令で符号化されたコンピュータ可読記憶媒体であって、前記命令は、実行されると、１つまたは複数のプロセッサに、請求項１−１１のうちのいずれか１つまたは複数に記載の方法を実行させる、コンピュータ可読記憶媒体。